(57)【特許請求の範囲】
【請求項１】
底面と、容器を形成するように前記底面に連結された側壁とから成る本体部分と、上面と、前記上面に連結された側壁とから成る蓋部分とを備え、前記蓋部分の側壁は、前記本体部分に置いたときに前記本体部分の側壁と重なるサイズに作られ且つ前記本体部分の少なくとも２つの対向する側壁に沿って接着剤で前記本体部分に結合されている、用紙を包装するための包装箱において、
前記本体部分には、該本体部分の前記２つの向かい合った側壁の一方に、中身を取り出すことができるように、開封帯装置が設けられており、前記本体部分の前記２つの対向する側壁には、前記接着剤を剥がさずに前記蓋部分が前記本体部分に押しつけられるのを可能にする折り目が、前記開封帯装置より上に設けられており、前記蓋部分は、前記本体部分に、該本体部分の側壁の端が蓋部分の前記上面から間隔を保つように結合されており、前記蓋部分に接着されていない前記本体部分の側壁の端は、該蓋部分が前記本体部分に押しつけられると、該蓋部分の上面に向かって移動しうる、
ことを特徴とする包装箱。
【発明の詳細な説明】
【０００１】
【産業上の利用分野】
本発明は、包装に関する改良、より詳細には用紙を箱の中に包装することに関するものである。
【０００２】
【従来の技術】
写真複写装置、その他の用途に使用する用紙が箱に入った形で供給されることは周知である。一般に、Ａ４またはＡ３の各箱の中に、用紙の重量（たとえば８０ｇｍ-2または１００ｇｍ-2）によっては、個別に包装された５連の紙（１連は５００枚）が入っている。各箱は、本体部分と箱に巻き付けられたプラスチックバンドで本体部分に結合された蓋部分から成っている。ほとんどのケースでは、箱がその完全性を保つように、上に積み重ねられた箱の重量を箱内の用紙スタックが支えることが好ましい。
【０００３】
各箱は、箱の本体部分になる素材板の上に５連の用紙スタックを置くことによって作られる。すなわち、用紙スタックを箱の底面になる素材板の部分の上に置く。次に素材板の他の部分をスタックのまわりに上に折り曲げ、所定の位置で接着して本体部分を作る。同様なやり方で、箱の蓋部分を作る。すなわち、蓋部分に相当する素材板をスタック（この時、スタックは本体部分の中にある）の上に置き、折り曲げて適宜に接着する。最後に、箱の蓋部分をプラスチックバンドで本体部分に結合する。
【０００４】
【発明が解決しようとする課題】
プラスチックバンドは箱を運ぶ手段として使用されるので、箱ばかりでなく箱の中の一番上と一番下の用紙の連を損傷させることが多い。さらに、プラスチックバンドは取外しが困難であり、しかも安全に処分する必要があることが多い。また、用紙のサイズが大きくなると、箱を運ぶことがより困難になり、もしプラスチックバンドを使用すれば、増加した重量のためバンドで指が切れることがある。
【０００５】
以上から、本発明の目的は、上に述べた問題点を解決する改良された用紙包装システムを提供することである。
【０００６】
英国特許出願公開第２，２８８，５９１号(GB-A-2,288,591)は、本体部分と、２つの向かい合った側壁に沿って接着剤で前記本体部分に接着された蓋部分とから成る、シート状の品を入れる箱を開示している。箱に接近する必要があるとき開封孔あけ帯を蓋部分から容易に引き剥がし、箱の内部に接近できるように、開封孔あけ帯が接着剤より上に、蓋部分の向かい合った一方の側壁に設けられている。
【０００７】
【課題を解決するための手段】
本発明は、一態様として、以下の特徴を有する用紙を包装するための包装システムを提供する。本包装システムは、底面と、容器を形成するように前記底面に連結された側壁とから成り、少なくとも２つの対向する連続側壁を有する本体部分と：上面と、上面に連結された側壁とから成り、本体部分の上に置いたとき側壁が本体部分の側壁と重なり、前記２つの対向する連続側壁に沿って接着剤で本体部分に結合されるようなサイズに作られた蓋部分と：から成る。かかる包装システムにおいて、本体部分には、該本体部分の前記２つの向かい合った連続側壁の一方に、包装システムに接近して中身を取り出すことができるように、開封帯装置が設けられており、前記２つの対向する連続側壁には、接着剤を剥がさずに蓋部分が本体部分に押しつけられるのを可能にする折り目が、開封帯装置より上に設けられており、蓋部分は、本体部分に、該本体部分の側壁の端が蓋部分の上面から間隔を保つように結合されており、しかも、蓋部分に接着されていない側壁の端は、蓋部分が本体部分に押しつけられるとき蓋部分の上面に向かって自由に動きうるようになっている。
【０００８】
さらに、開封帯装置を有する側壁に向かい合った側壁上の少なくとも１つの折り目はヒンジを形成しているので、前記ヒンジのまわりに蓋部分を回転させて中身に接近することができる。
【０００９】
開封した包装システムを処分するとき折り畳むことができるように、別の折り目が本体部分と蓋部分に設けられていることが好ましい。
【００１０】
本発明の包装システムは、既存のブランクすなわち素材板を使用できるという利点と、追加の折曲げ線と切欠きによって新しい特徴を提供できるという利点を有する。詳しく述べると、開封帯は本体部分の素材板を作るための材料の縁に対し適当な位置に追加することができる。さらに、本包装システムを具体化するために既存の包装装置を使用することができる。
【００１１】
都合のよいことに、本発明に係る包装システムは、包装内に存在するどんなヘッドスペースも取り除く「コンサーティーナ（手風琴の一種）の蛇腹」機構を備えている。これは、包装システムの中身が堆積強度を与えると同時に、包装の完全性を保たなければならない場合に最も重要である。
【００１２】
【発明の実施の形態】
以下、Ａ４用紙のための包装箱について本発明を説明するが、他のサイズの用紙の包装や、他の材料の包装にも同様に本発明を応用できることは容易に理解されるであろう。
【００１３】
図１に、本発明に係る包装箱１０を示す。箱１０は直方体であり、図示のように長方形の側壁面１２，１４，１６，１８を有する。一対の向かい合った側壁面１２，１４は隣接する側壁面１６，１８より長く、図１には側壁面１２，１６だけが見えている。箱１０は本体部分２０と蓋部分３０から成っている。
【００１４】
本体部分２０は、底面２２（図２に示す）と、側壁面２４，２５，２６，２７（図１に側壁面２４，２６だけを示す）から成っている。側壁面２４には、その上端より下に、蓋部分３０が側壁面２４を覆っている場所より下に、開封帯装置４０が配置されている。開封帯装置４０は後で図７を参照して説明する。側壁面２６，２７には、それぞれ蓋部分３０より下に、把手部分５０，５２（図１に、把手部分５０だけを示す）が設けられている。把手部分５０，５２の構造は後で図１０を参照して詳細に説明する。
【００１５】
蓋部分３０は上面３２と、側壁面３４，３５，３６，３７（図１に即壁面３４，３６だけが見える）から成っている。蓋部分３０は、本体部分２０の対応する側壁面２４，２５と接触する側壁面３４，３５の内面に沿って塗布された接着剤（図５に“Ｘ”で示す）によって本体部分２０に結合されている。
【００１６】
図３と図４に、それぞれ本体部分２０と蓋部分３０を作るためのブランクすなわち素材板２００，３００を示す。それらについては後で詳細に説明する。
【００１７】
開封帯装置４０を操作すると、すなわち箱１０を開くと、本体部分２０の側壁面２４の上部分２４ａと一緒に蓋部分３０を持ち上げることによって、本体部分２０の中身に接近することができる。図２に、その状態を示す。さらに、箱１０の本体部分２０の構造に起因して、部分２６ａ，２７ｂと対応する部分２６ｃ，２７ｃの間の接着剤部分を破る（接着剤の位置は図５と図６に“Ｘ”で示してある）と、部分２６ｂ，２７ｂと一緒に側壁面２４の下部分２４ｂを外側へ容易に折り曲げることによって、箱１０の中身に容易に接近することができる。しかし、部分２６ａ，２６ｃと部分２７ａ，２７ｃは互いに付着したままである。部分２６ａ，２６ｂと２６ｃとを接合する接着スポットの位置は、図５に“Ｘ”で示してある。部分２７ａ，２７ｂと２７ｃも同じやり方で接合されることは理解されるであろう。
【００１８】
次に図３に、本体部分２０を作るための基本的な素材板２００を示す。明確にするため、開封帯装置４０と把手部分５０，５２の位置は省略してある。素材板２００は、長方形の中央部分２０２（本体部分２０を前述のように上方に折り曲げる前に用紙の５連スタックが置かれる箱１０の底面２２を形成する）と、部分２０４，２０６（折曲げ線２０８，２１０に沿って中央部分２０２に対しほぼ直角に折り曲げたときそれぞれ箱１０の側壁２４，２５を形成する）とから成っている。側壁面２６は、それぞれ折曲げ線２１６，２１８に沿って折り曲げられた部分２０４の部分２１２（図１および図２の部分２６ｂ）と、部分２０６の部分２１４（図１および図２の２６ａ）とによって形成される。同様に、側壁面２７は、それぞれ折曲げ線２２４，２２６に沿って折り曲げられた部分２０４の部分２２０（図２の部分２７ｂ）と、部分２０６の部分２２２（図２の２７ａ）とによって形成される。側壁面２６，２７は、部分２２８，２３０によって所定の位置に保持される。部分２２８，２３０は、中央部分２０２と一体に形成され、それぞれの折曲げ線２３２，２３４に沿って折曲げられ、図２に示す部分２６ｃ，２７ｃを形成する。図５に示すように、部分２２８，２３０は、接着剤を使用して、対応する部分２１４，２２２に結合されている。折曲げ線２１６，２１８，２２４，２２６を望んだ通りに折り曲げることができるように、切り目２３６，２３８，２４０，２４２が設けられていることは容易に理解されるであろう。
【００１９】
用紙の包装の場合、箱の中身すなわち用紙がその上に積み重ねられた箱の重量を支えることが好ましい。これは、スタックの一番上の連が本体部分２０から盛り上がるように本体部分２０が作られていること、すなわち本体部分２０の全高が５連（１連は５００枚）の用紙の高さより低く選定されていることを意味する。つまり、蓋部分３０は本体部分２０の側壁面２４，２５，２６，２７の上縁でなく、用紙の一番上の連の上に載っている。
【００２０】
図４は、蓋部分３０を作るための素材板３００を示す。素材板３００は、箱１０の上面３２を形成する中央の長方形部分３０２と、折曲げ線３０８，３１０，３３２，３３４に沿ってそれぞれ折り曲げられたとき側壁面３４，３５，３６，３７を形成する部分３０４，３０６，３２８  ３３０とから成っている。部分３０４に付いている部分３１２，３２０と、部分３０６に付いている部分３１４，３２２とは、それぞれの折曲げ線３１６，３２４，３１８，３２６に沿って部分３２８，３３０（側壁面３６，３７）の下に折り曲げられ、接着剤（図示せず）でそれらの部分３２８，３３０に結合される。図３に示した素材板２００と同様に、部分３１２，３１４，３２０，３２２を望んだ通りに折り曲げることができるように、素材板３００に切り目３３６，３３８，３４０，３４２が設けられている。
【００２１】
次に、箱１０の多くの特徴を示す図５、図６、図７、および図８について説明する。本体部分２０の側壁面２４には、蓋部分３０の側壁面３４より下に、かつ開封帯装置４０より上に、一対６０の折り目６２，６４が設けられている。同様に、側壁面２５には、箱１０の底面２２から側壁面２４の折り目６２，６４と同じ相対的位置にあるように、一対６６の折り目６８，７０が設けられている。しかし、側壁面２５の折り目６８，７０は、同じ相対的位置にある必要はなく、任意の適当な位置に設けてもよいことは理解されるであろう。開封帯装置４０を操作し、箱１０の中身に接近できるように蓋部分３０を持ち上げたとき、蓋部分３０を本体部分２０から分離できるように、本体部分２０の上隅７２，７４，７６，７８に切り目が入っている。上隅７２，７４は側壁面２４上の開封帯装置４０まで切り目が入っており、上隅７６，７８は側壁面２５上の折り目６８，７０のすぐ下まで（約２５ｍｍ）切り目が入っている。側壁面２５の下折り目７０は、蓋部分３０を折り返すことができるようにヒンジとして作用する（図２参照）。開封帯装置４０の一端４２に接近できるように、側壁面の部分２６ｂ（図７）に切欠き部分８０が設けられている。開封帯部分４０をどちらの端からでも操作できる場合には、もう１つの切欠き部分（図示せず）を側壁面２７ｂに設けることができることは理解されるであろう。
【００２２】
本発明に従って、折り目線６２，６４，６８，７０は「蛇腹」機構を形成している。本体部分２０は対の側壁面２４，３４と２５，３５に沿って蓋部分３０に接合されているだけであるから（図５、図６、および図８に接着点に相当する場所を“Ｘ”で示す）、中身を安定させるため箱１０の蓋部分３０に圧力を加えたとき、すなわち箱１０の蓋部分３０を介して用紙に圧力を加えたとき、「蛇腹」機構は側壁面２４，２５が外側にふくれるのを許す手段になる。もし「蛇腹」機構を設けなければ、圧力を加えたとき本体部分２０から蓋部分３０がはずれ、箱および（または）中身を損傷させることがあろう。蛇腹機構が働くように、蓋部分３０は側壁面２４，２５，２６，２７が蓋部分３０の上面３２に当たるように本体部分２０の上に置かれないが、前述のように本体部分２０から盛り上がっている用紙の一番上の連の上に載ることは理解されるであろう。蓋部分２０の上面３２が一番上の連の上に載るので、蓋部分３０を本体部分２０に取り付ける時、側壁面２４，２５，２６，２７と蓋部分３０の上面３２の間に所定の間隙が与えられる。蓋部分３０が本体部分２０に押しつけられたとき、蓋部分３０の上面３２と側壁面２４，２５，２６，２７の間に間隙が存在するので、蛇腹機構が働くとき、接合されていない側壁面２６，２７は蓋部分３０の中へ上方に動くことができる。
【００２３】
開封帯装置４０は側壁面２４に沿って本体部分２０の内側に張り付けられたプラスチック帯（図示せず）から成っている。プラスチック帯は側壁面２４の全長にわたって貼り付けられているので、切欠き部分８０を通して端４２（図７）を引っ張ると、側壁面部分２４がプラスチック帯に沿って破れる。
【００２４】
箱１０は波形板紙で作られていること、そして波形のひだの方向は図９に示す通りであること、すなわち領域９０，９２に示すように、「ひだ」は、本体部分２０の側壁面２４，２５，２６，２７では、ほぼ垂直に延びており（部分２６ｃ，２７ｃを除いて、図２参照）、蓋部材３０の上面３２では、ほぼ水平に延びていることが好ましい。
【００２５】
図１０は、側壁面２６，２７に把手部分５０，５２がどのように作られるかを示す。把手部分５０のみについて説明するが、把手部分５０，５２は同一であるから、把手部分５２も同じやり方で作られることは理解されるであろう。図１０は側壁面２６の部分１００を示す。箱１０の構造のせいで、側壁面２６が境界１０２で合わさる２つの部分２６ａ，２６ｂから成っていること（前に説明したように）は理解されるであろう。各把手部分５０，５２のための素材板２００の部分２１２，２１４，２２０，２２２（図１０に図示してない）から、スロット１０４，１０６が切除されている。それぞれのスロット１０４，１０６から形成された付形切り目１０８，１１０は対応する点１１２，１１４までほぼ上方に延びている。点１１２，１１４は、側壁面部分２６ａ，２６ｂが合わさったとき図示のように境界１０２を横切って延びる折り目線１１６上にある。側壁面部分２６ａ，２６ｂの部分１１８，１２０を箱１０の外へ引き出し、側壁面部分２６ａ，２６ｂの外面に当てて折り返すことによって、各把手部分５０，５２が作られる。蓋部分３０によってユーザーの指が切れたり、擦傷しないように、部分１１８，１２０が蓋部分の縁を覆うことが好ましい。
【００２６】
図１１および図１２は、それぞれ本体部分２０と蓋部分３０に設けた別の折り目の位置を示す。これらの折り目を設けたのは、使用後処分するため箱１０を平らに折り畳むことができるようにするためである。本体部分２０には、図示のように、折り目２５０，２５２，２５４が底面２２を横断し、側壁面部分２６ｃ，２７ｃを上方へ延びている。本体部分２０を平らに折り畳むことができるように、斜めの折り目線２５６，２５８，２６０，２６２が底面２２の隅２２ａ，２２ｂ，２２ｃ，２２ｄから前記折り目線２５０まで延びている。同様に、蓋部分３０には、折り目線２７０，２７２，２７４，２７６が隅３２ａ，３２ｂ，３２ｃ，３２ｄから側壁面３４，３５に沿って延びている。
【００２７】
開封した後、本発明の箱１０を再使用できることは容易に理解されるであろう。密封された箱１０を開いた後、蓋部分３０と側壁面２４の上部分２４ａを下部分２４ｂに結合するため、締結手段（図示せず）を設けることができる。
【図面の簡単な説明】
【図１】本発明に係る用紙包装箱（閉じた状態）の斜視図である。
【図２】図１に示した包装箱を開放した時の斜視図である。
【図３】図１に示した包装箱の底面を作るため使用する素材板の平面図である。
【図４】図１に示した包装箱の上面を作るため使用する素材板の平面図である。
【図５】図１に示した包装箱のより詳しい構造的特徴を示す斜視図である。
【図６】蓋部分を取り外した状態を示す、図５に似た斜視図である。
【図７】本発明に係る開封帯装置の一端がある包装箱の隅部分の詳細図である。
【図８】本発明に係る「蛇腹」機構を示す部分図である。
【図９】本発明に係る包装箱を作るため使用できる材料の向きを示す図である。
【図１０】包装箱の把手部分の詳細図である。
【図１１】本発明の別の利点（平らに折り畳める）を示す包装箱の本体部分の斜視図である。
【図１２】本発明の図１１の利点（同上）を示す包装箱の蓋部分の斜視図である。
【符号の説明】
１０  本発明に係る包装箱
１２，１４，１６，１８  包装箱の側壁面
２０  本体部分
２２  本体部分の底面
２４，２５，２６，２７  本体部分の側壁面
３０  蓋部分
３２  蓋部分の上面
３４，３５，３６，３７  蓋部分の側壁面
４０  開封帯装置
５０，５２  把手部分
６０  一対の折り目
６２，６４  折り目線
６６  一対の折り目
６８，７０  折り目線
７２，７４，７６，７８  本体部分の上隅
８０  切欠き部分
９０，９２  板紙のひだが見えるように表面を切除した領域
１００  側壁面２６の部分
１０２  境界
１０４，１０６  スロット
１０８，１１０  付形切り目
１１２，１１４  切り目の終点
１１６  折り目線
１１８，１２０  側壁面２６ａ，２６ｂの部分
２００  本体部分の素材板
２０２，２０４，２０６  素材板の部分
２０８，２１０  折曲げ線
２１２，２１４  部分２０４，２０６の部分
２１６，２１８  折曲げ線
２２０，２２２  部分２０４，２０６の部分
２２４，２２６  折曲げ線
２２８，２３０  中央部分２０２の部分
２３２，２３４  折曲げ線
２３６，２３８，２４０，２４２  切り目
２５０，２５２，２５４  本体部分の折曲げ線
２５６，２５８，２６０，２６２  折曲げ線
２７０，２７２，２７４，２７６  蓋部分の折曲げ線
３００  蓋部分の素材板
３０２，３０４，３０６  素材板の部分
３０８，３１０  折曲げ線
３１２，３１４  部分３０４，３０６の部分
３１６，３１８  折曲げ線
３２０，３２２  部分３０４，３０６の部分
３２４，３２６  折曲げ線
３２８，３３０  中央部分３０２の部分
３３２，３３４  折曲げ線
３３６，３３８，３４０，３４２  切り目
【図１】
0003953607.tif 000002
【図２】
0003953607.tif 000003
【図３】
0003953607.tif 000004
【図４】
0003953607.tif 000005
【図５】
0003953607.tif 000006
【図６】
0003953607.tif 000007
【図７】
0003953607.tif 000008
【図８】
0003953607.tif 000009
【図９】
0003953607.tif 000010
【図１０】
0003953607.tif 000011
【図１１】
0003953607.tif 000012
【図１２】
0003953607.tif 000013